(57)【要約】【課題】  小型化や高周波化の実現、部品点数やコストの低減に好適なトランス及び該トランスを用いた放電灯点灯装置において、電圧検出精度を保証する。【解決手段】  ギャップを有する閉磁路型のコアと、一次巻線７ｐ及び二次巻線７ｓと、二次巻線７ｓの途中に設けられた検出端子又は主巻線とは別の巻線として追加された検出用巻線を備えたトランス構成において、一次巻線７ｐ及び二次巻線７ｓが同じコア支柱１３を中心軸としてギャップ１４を外した部分の周囲に巻回されている。そして、一次巻線７ｐが薄板状又はフィルム状の導体を用いて形成され、コア支柱１３の中心軸に沿う方向において、一次巻線７ｐの巻回部分が二次巻線７ｓの巻回部分を網羅するように配置した。【選択図】図４
2006294728.tif 000002
【特許請求の範囲】
【請求項１】
ギャップを有する閉磁路型のコアと、一次巻線及び二次巻線を含む主巻線と、二次巻線の途中に設けられた検出端子又は主巻線とは別の巻線として追加された検出用巻線を備えたトランスにおいて、
上記一次巻線及び二次巻線が上記コアの同じコア支柱を中心軸として上記ギャップを外した部分の周囲に巻回されるとともに、
上記一次巻線が薄板状又はフィルム状の導体を用いて形成され、上記コア支柱の中心軸に沿う方向において、上記一次巻線の巻回部分が上記二次巻線の巻回部分を網羅する長さをもって配置されている
ことを特徴とするトランス。
【請求項２】
請求項１に記載したトランスにおいて、
上記検出用巻線が薄板状又はフィルム状の導体を用いて形成され、上記コア支柱の中心軸に沿う方向において、上記検出用巻線の巻回部分が上記二次巻線の巻回部分を網羅する長さをもって配置されている
ことを特徴とするトランス。
【請求項３】
請求項１又は請求項２に記載したトランスにおいて、
上記一次巻線又は上記検出用巻線に設けられた一対の端子が、該巻線の巻回方向に関して互いに反対側の対角位置に形成されている
ことを特徴とするトランス。
【請求項４】
放電灯への電力伝送機能を有するトランスと、直流入力電圧を受けて交流変換を行って該トランスの出力を放電灯に供給する直流−交流変換回路と、起動用信号を放電灯に供給するための起動回路を備えた放電灯点灯装置において、
上記トランスが、ギャップを有する閉磁路型のコアと、一次巻線及び二次巻線を含む主巻線と、二次巻線の途中に設けられた検出端子又は主巻線とは別の巻線として追加された放電灯に係る電圧の検出用巻線を備えており、
上記一次巻線及び二次巻線が上記コアの同じコア支柱を中心軸として上記ギャップを外した部分の周囲に巻回されるとともに、
上記一次巻線が薄板状又はフィルム状の導体を用いて形成され、上記コア支柱の中心軸に沿う方向において、上記一次巻線の巻回部分が上記二次巻線の巻回部分を網羅する長さをもって配置されている
ことを特徴とする放電灯点灯装置。
【発明の詳細な説明】
【技術分野】
【０００１】
本発明は、高周波化及び小型化に適したトランス及びこれを用いた放電灯点灯装置において、トランスの二次巻線に設けられた検出端子又は主巻線に対して別巻線として追加された検出用巻線による検出精度を向上させるための技術に関する。
【背景技術】
【０００２】
製造工数の削減や巻き太り防止等のために、金属板巻線を用いて、低電圧で大電流のトランスやコイルを実現する構成形態が知られている（例えば、特許文献１参照。）。
【０００３】
また、自動車等の車両用の照明光源に用いられる、メタルハライドランプ等の放電灯の点灯回路においては、放電灯への電力伝送用のトランスを使用して直流−交流変換を行う構成が知られており、該トランスには放電灯に印加される電圧を検出するために二次巻線に設けられた検出端子又は検出用巻線が設けられる。尚、該検出端子又は検出用巻線を用いて検出される電圧は、例えば、放電灯の電力制御や放電灯に係る異常状態等の判定に使用される。
【０００４】
【特許文献１】特開２００１−１５５９３３号公報
【発明の開示】
【発明が解決しようとする課題】
【０００５】
ところで、放電灯の高周波点灯を行う点灯回路では、電力伝送用のトランスを小型化し又はコンパクト化する場合に、該トランス内部の磁気的な結合が不均一であると電圧検出を正確に検出することが困難になる。これは、トランス内部の結合に疎密状態が生じる結果、巻線比と電圧との関係において線形性からのずれが顕著になってくることに拠る。よって、補正用回路等を用いる必要があるが、回路構成の複雑化、大型化の問題や、コスト面で問題が生じる。例えば、自動車用照明光源に放電灯を用いる場合に、限られたスペースに点灯回路を配置する必要がある（例えば、灯具内に点灯回路ユニットを収容させる場合等）。
【０００６】
そこで、本発明は、小型化や高周波化の実現、部品点数やコストの低減に好適なトランス及び該トランスを用いた放電灯点灯装置において、電圧検出の精度保証を課題とする。
【課題を解決するための手段】
【０００７】
本発明は、ギャップを有する閉磁路型のコアと、一次巻線及び二次巻線を含む主巻線と、二次巻線の途中に設けられた検出端子又は主巻線とは別の巻線として追加された検出用巻線を備えたトランス又は該トランスを用いた放電灯点灯装置において、一次巻線及び二次巻線が同一コアの同じコア支柱を中心軸としてギャップを外した部分の周囲に巻回されるとともに、一次巻線が薄板状又はフィルム状の導体を用いて形成され、コア支柱の中心軸に沿う方向において、一次巻線の巻回部分が二次巻線の巻回部分を網羅する長さをもって配置されたものである。
【０００８】
従って、本発明では、薄板状又はフィルム状の導体を用いて形成される一次巻線と、二次巻線との磁気的な結合分布にムラが生じないようにし、正確な電圧検出を行うことが可能である。そして、一次巻線及び二次巻線が同一コアの同じコア支柱を中心軸としてギャップを外した部分の周囲に巻回された構造を採用し、ギャップでの漏れ磁束発生による検出精度の低下を防止できる。
【発明の効果】
【０００９】
本発明によれば、小型化及び高周波化に有効であり、電圧検出精度を充分に保証することができる。例えば、トランスを用いた高周波駆動方式の放電灯点灯装置への適用において、放電灯に印加される電圧を正確に検出することが可能となる。
【００１０】
主巻線とは別の巻線として追加された検出用巻線を備えた構成形態においては、薄板状又はフィルム状の導体を用いて該検出用巻線を形成するとともに、コア支柱の中心軸に沿う方向において、検出用巻線の巻回部分が二次巻線の巻回部分を網羅する長さをもって配置されるように構成することが、電圧検出精度の向上に好ましい。
【００１１】
また、一次巻線又は検出用巻線に設けられる一対の端子については、該巻線の巻回方向に関して互いに反対側の対角位置に形成する。例えば、一次電流が薄板状又はフィルム状の導体において均一に流れるようにし、一次巻線と二次巻線との磁気的な結合のムラが極力生じないようにすることができる。
【発明を実施するための最良の形態】
【００１２】
図１は本発明に係る放電灯点灯装置の基本構成例を示すものである。
【００１３】
放電灯点灯装置１はその回路構成において、直流電源２から電源供給を受ける直流−交流変換回路３と起動回路４を備えている。
【００１４】
直流−交流変換回路３は、直流電源２から直流入力電圧（図の「＋Ｂ」参照）を受けて交流変換及び昇圧を行うために設けられている。本例では、２つのスイッチング素子５Ｈ、５Ｌと、それらの駆動制御を行う制御手段６を備えている。つまり、高段側のスイッチング素子５Ｈの一端が電源端子に接続され、該スイッチング素子の他端が低段側のスイッチング素子５Ｌを介して接地されており、制御手段６によって各素子５Ｈ、５Ｌが交互にオン／オフされる。尚、図では簡単化のために素子５Ｈ、５Ｌをスイッチの記号で示しているが、電界効果トランジスタ（ＦＥＴ）やバイポーラトランジスタ等の半導体スイッチング素子が用いられる。
【００１５】
直流−交流変換回路３は、インダクタンス素子又はトランス及びコンデンサを含む直列共振回路を有する。本例では、直流−交流変換回路３が電力伝送用のトランス７を有しており、その一次側において共振用コンデンサ８と、インダクタ又はインダクタンス成分との共振現象を利用した回路構成が用いられている。つまり、構成形態としては、例えば、下記の３通りが挙げられる。
【００１６】
（Ｉ）共振用コンデンサ８とインダクタンス素子との共振を利用した形態
（ＩＩ）共振用コンデンサ８とトランス７のリーケージ（漏れ）インダクタンスとの共振を利用した形態
（ＩＩＩ）共振用コンデンサ８と、インダクタンス素子及びトランス７のリーケージインダクタンスとの共振を利用した形態。
【００１７】
先ず、上記（Ｉ）では、共振用コイル等のインダクタンス素子９を付設し、例えば、該素子の一端を共振用コンデンサ８に接続して、該コンデンサ８をスイッチング素子５Ｈと５Ｌとの接続点に接続する。そして、インダクタンス素子９の他端をトランス７の一次巻線７ｐに接続した構成が挙げられる。
【００１８】
また、上記（ＩＩ）では、トランス７のインダクタンス成分を利用することで、共振用コイル等の追加が不要である。つまり、共振用コンデンサ８の一端をスイッチング素子５Ｈと５Ｌとの接続点に接続し、該コンデンサ８の他端をトランス７の一次巻線７ｐに接続すれば良い。
【００１９】
上記（ＩＩＩ）では、インダクタンス素子９とリーケージインダクタンスとの直列合成リアクタンスを用いることができる。
【００２０】
いずれの形態でも、共振用コンデンサ８と誘導性要素（インダクタンス成分やインダクタンス素子）との直列共振を利用し、スイッチング素子５Ｈ、５Ｌの駆動周波数を直列共振周波数以上の値に規定して該スイッチング素子を交互にオン／オフさせれば、トランス７の二次巻線７ｓに接続された放電灯１０（車両用灯具に用いるメタルハライドランプ等）の正弦波点灯を行うことができる。尚、制御手段６による各スイッチング素子の駆動制御において、スイッチング素子がともにオン状態とならないように相反的にそれぞれの素子を駆動する必要がある（オンデューティーの制御等に依る。）。また、直列共振周波数については、点灯前の共振周波数を「ｆ１」、点灯状態での共振周波数を「ｆ２」と記し、共振用コンデンサ８の静電容量を「Ｃｒ」、インダクタンス素子９のインダクタンスを「Ｌｒ」、トランス７の一次側インダクタンスを「Ｌｐ１」と記すとき、例えば、上記形態（ＩＩＩ）において、放電灯の点灯前では、「ｆ１＝１／（２・π・√（Ｃｒ・（Ｌｒ＋Ｌｐ１））」となる。例えば、駆動周波数がｆ１よりも低いとスイッチング素子の損失が大きくなり効率が悪化するので、ｆ１よりも高い周波数領域でのスイッチング動作が行われる。また、放電灯点灯後には、「ｆ２≒１／（２・π・√（Ｃｒ・Ｌｒ））」となる（ｆ１＜ｆ２）。この場合も、ｆ２よりも高い周波数領域でスイッチング動作が行われる。
【００２１】
起動回路４は、放電灯１０に起動用信号を供給するために設けられている。例えば、図示しない電圧生成部又はトランス７に付設の補助巻線による電圧等に基づいて、トランス７の一次巻線７ｐに発生する信号が該トランス７で昇圧されて放電灯１０に印加される（交流変換された出力に対して起動用信号が重畳されて放電灯１０に供給される。）。
【００２２】
トランス７は、一次巻線７ｐ及び二次巻線７ｓを含む主巻線７Ｍを有する。トランス７は放電灯１０への電力伝送機能を有し、二次巻線７ｓに放電灯１０が接続されている。放電灯１０に印加される電圧の検出形態には下記に示す（Ａ）、（Ｂ）が挙げられ、図には説明の便宜上、両方を示しているが、いずれか一方を採用すれば良い。
【００２３】
（Ａ）二次巻線の途中に設けられた検出端子から検出電圧を得る形態
（Ｂ）主巻線とは別の巻線として追加された検出用巻線を用いる形態。
【００２４】
先ず、形態（Ａ）では、トランス７の二次巻線７ｓの途中に検出端子を設けて電圧を検出する。例えば、巻数、電圧を図示のように規定するとき、「（Ｎｓ／Ｎｐ）＝（Ｖｓ／Ｖｐ）」の関係が成り立ち、「（Ｎｓ１／Ｎｓ）＝（Ｖｓ１／Ｖｓ）」から「Ｖｓ１＝Ｖｓ×（Ｎｓ１／Ｎｓ）」が得られる。
【００２５】
尚、諸量の定義は下記に示す通りである。
【００２６】
・「Ｎｐ」＝トランス７の一次巻線７ｐの巻数
・「Ｎｓ」＝トランス７の二次巻線７ｓの巻数
・「Ｎｓ１」＝二次巻線７ｓにおいて巻線途中の検出端子までの巻数
・「Ｖｐ」＝一次電圧
・「Ｖｓ」＝二次電圧
・「Ｖｓ１」＝検出端子から取り出される検出電圧。
【００２７】
また、形態（Ｂ）では、トランス７の二次側に検出用巻線７ｖを追加して電圧を検出する。例えば、巻数、電圧を図示のように規定するとき、（Ｎｓ／Ｎｐ）＝（Ｖｓ／Ｖｐ）」の関係が成り立ち、「（Ｎｓ２／Ｎｓ）＝（Ｖｓ２／Ｖｓ）」から「Ｖｓ２＝Ｖｓ×（Ｎｓ２／Ｎｓ）」が得られる。
【００２８】
尚、ここで、「Ｎｓ２」、「Ｖｓ２」は下記に示す通りである。
【００２９】
・「Ｎｓ２」＝検出用巻線７ｖの巻数
・「Ｖｓ２」＝検出用巻線７ｖにより得られる検出電圧。
【００３０】
以上のように、トランス７が理想的な変圧特性を有すると仮定した場合には、（Ａ）、（Ｂ）のいずれの形態でも、二次巻線に対する巻線比（「Ｎｓ１／Ｎｓ」、「Ｎｓ２／Ｎｓ」）に比例した電圧が検出され、線形特性が得られるはずである。
【００３１】
しかしながら、実際上の問題として、丸線等の巻線を用いたトランスでは、このような線形特性に従って電圧検出を行うことができない。
【００３２】
図２及び図３は、その理由について説明するための図であり、図２はトランス７の主巻線７Ｍの等価回路図、図３はトランスの特性例を定性的に示すグラフ図である。
【００３３】
先ず、図２に示すように、トランス７はｎ個の小トランスの集合体とみなすことができ、図には、それぞれの小トランスの結合係数を「Ｋi」（i=1,2,…,n）と定義している。
【００３４】
トランス７の一次側にはｎ個の等価巻線１１、１１、…が並列に接続されており、二次側にはｎ個の等価巻線１２、１２、…が直列に接続されている（図中の「Ｖi」（i=1,2,…,n）が各巻線１２の接続位置における電位や出力端子の電位を示す。）。
【００３５】
図３は、横軸に巻線比「ａ」をとり、縦軸に検出電圧「Ｖ」をとって両者の関係を概略的に示した図である。
【００３６】
理想トランスでは、グラフ線「Ｇ」に示すような線形特性が得られ、例えば、上記形態（Ａ）では、二次巻線途中の検出端子から巻線比に比例した検出電圧が得られる。即ち、これは、小トランスの結合係数「Ｋi」（i=1,2,…,n）の値が全て等しい場合に相当する。
【００３７】
これに対して、結合係数「Ｋi」（i=1,2,…,n）にバラツキが生じると、グラフ線ｇ１乃至ｇ３に示すように、線形特性からの乖離が顕著になってくる。例えば、グラフ線ｇ１、ｇ２は、特定の結合係数（例えば、「Ｋ1」又は「Ｋ5」等）の値だけを変化させた場合の特性を示し、グラフ線ｇ３は、各結合係数の値を少しずつ異なるように規定した場合の特性を示している。
【００３８】
このように、トランス内部で磁気的な結合の疎密状態が存在すること（つまり、小トランスの結合係数値の分布が不均一化すること。）が原因で、線形特性に従った電圧検出を行えなくなってしまう。換言すれば、トランス内部で均一な結合状態が実現されるならば、該トランス全体の結合の良し悪しには無関係に、上記形態（Ａ）、（Ｂ）において正確な電圧検出が保証されることになる。
【００３９】
図４乃至図９は、本発明に係るトランスの構造例を示したものである。
【００４０】
図４はトランス７の基本構成の要部を示した概略図である。
【００４１】
主巻線７Ｍを構成する一次巻線７ｐ、二次巻線７ｓは、同じコア支柱１３を中心軸（図の「Ｃ−Ｃ」線を参照）としてギャップ（エアギャップ又は非磁性体ギャップ）１４を外した部分の周囲に１ターン以上巻回される。
【００４２】
例えば、（Ａ）図に示す構成例７＿１のように、コア支柱１３の周囲に一次巻線７ｐを配置し、その外側に二次巻線７ｓを配置する構成形態と、（Ｂ）図に示す構成例７＿２のように、コア支柱１３の周囲に二次巻線７ｓを配置し、その外側に一次巻線７ｐを配置する構成形態が挙げられる。
【００４３】
本発明の適用において、いずれの形態でも、コア支柱１３の中心軸に沿う方向において、一次巻線７ｐの巻回部分が二次巻線７ｓの巻回部分を網羅する長さをもって配置されている。即ち、コア支柱１３の中心軸「Ｃ−Ｃ」に沿う方向にＸ軸（図の上方を正方向とする。）を設定した場合において、一次巻線７ｐの巻回部の上端位置を「Ｘｐｕ」、下端位置を「Ｘｐｄ」、巻回部の長さを「Ｌ１」（＝Ｘｐｕ−Ｘｐｄ）と記し、二次巻線７ｓのＸ軸方向における巻回部の上端位置を「Ｘｓｕ」、下端位置を「Ｘｓｄ」、巻回部の長さを「Ｌ２」（＝Ｘｓｕ−Ｘｓｄ）と記すとき、「Ｌ１≧Ｌ２」、「Ｘｐｕ≧Ｘｓｕ」、「Ｘｐｄ≦Ｘｓｄ」とされる。
【００４４】
図５は一次巻線７ｐの構成を例示しており、薄板状又はフィルム状の導体を用いて形成される。
【００４５】
（Ａ）図は、上記コア支柱の周囲を巻くようにして巻回される一次巻線７ｐを示し、（Ｂ）図は巻回前の展開図を示している。
【００４６】
一次巻線７ｐの導体部１５は、薄い導体を中心軸の周りに該中心軸方向からみて渦巻き状に巻回することによって筒状に形成されている。
【００４７】
そして、一次巻線７ｐには一対の端子１６、１６が設けられており、それらの端子は、（Ｂ）図に示すように、一次巻線７ｐの巻回方向（図中の矢印「Ｒ」方向）に関して互いに反対側の対角位置に形成されている。これにより一次電流が一次巻線７ｐの導体部１５に均一に流れ、二次巻線との間の結合にムラが生じないようにすることができる。
【００４８】
尚、起動用回路４との接続用端子１７を形成する場合には、（Ｂ）図に破線で示すように、一次巻線７ｐの巻回方向に延びるいずれか一方の長辺に該端子を形成すれば良い。
【００４９】
一次巻線７ｐの基材には、例えば、金属製の薄板や、可撓性のあるフィルム状の導体（フレキシブルプリント配線板等）を使用することができる。
【００５０】
尚、二次巻線７ｓに基材については、丸線等が用いられるが、平角線を用いて環状に重ねて巻くようにした、所謂エッジワイズ巻き（あるいは平打ち巻き）の形態を採ることにより、銅損を抑えつつ、必要最小限のサイズをもってトランスを構成することが可能である。
【００５１】
次に、トランスの具体的な構成例について説明するが、該トランスはギャップを有する閉磁路型のコアを備えている。例えば、下記に示すように、トランスの磁気回路がＥ型コア、Ｕ型コア等を用いて形成される。
【００５２】
・２つのＥ型コアを組み合わせた構成
・Ｅ型コアとＩ型コアを組み合わせた構成
・２つのＵ型コアを組み合わせた構成
・Ｕ型コアとＩ型コアを組み合わせた構成。
【００５３】
つまり、磁性体コア及びギャップを一周して磁気回路が閉成される構成とされ、Ｉ型コアのみのような、開放型の構成は除外される。
【００５４】
図６乃至図９は、Ｅ型コアとＩ型コアを組み合わせた構成例を示したものであり、コアの直線部を共通軸として主巻線が巻回され、薄板状又はフィルム状の導体を用いた一次巻線が、該共通軸方向において二次巻線を完全に網羅するようにロール状に巻回された構造を有している。
【００５５】
先ず、図６及び図７に示す例では、Ｅ型コアのコア支柱の直線部に主巻線７Ｍが巻回された構造を有している。
【００５６】
図６はトランス１８の要部を示す分解斜視図であり、Ｉ型コア１９、一次巻線７ｐ、二次巻線７ｓ、Ｅ型コア２０を示している。また、図７はトランス１８の断面構造を示している。
【００５７】
本例では、Ｅ型コア２０の中脚とされるコア支柱２０ａの周囲に二次巻線７ｓが配置されており、該巻線には一対の端子２１、２１の他に、巻線途中の所定位置（例えば、２ターン目）に検出端子２２が設けられ、該検出端子２２から検出電圧が取り出される。
【００５８】
そして、二次巻線７ｓの外周には、絶縁体（図７参照）を介して上記した一次巻線７ｐが配置されている。
【００５９】
図７に示すように、コア支柱２０ａの中心軸を含む平面で切断したトランス１８の断面構造において、一次巻線７ｐの巻回部分は、二次巻線７ｓの巻回部分をその外側で完全に網羅しており、両巻線はともに、磁路のギャップ２３（コア支柱２０ａの端部とＩ型コア１９との間に形成される空隙部）を避けて配置されている。尚、一次巻線７ｐと二次巻線７ｓとの間には絶縁体２４（絶縁ボビン等）が介在されることで、両者が電気的に絶縁された構成とされる。
【００６０】
また、図８及び図９に示す例では、前記構成例とは一次巻線と二次巻線の配置が逆になっている。
【００６１】
図８はトランス２５の要部を示す分解斜視図であり、Ｉ型コア１９、一次巻線７ｐ、二次巻線７ｓ、Ｅ型コア２０を示している。また、図９はトランス２５の断面構造を示している。
【００６２】
本例では、Ｅ型コア２０の中脚とされるコア支柱２０ａの周囲に、先ず、一次巻線７ｐが配置され、そして、その外周に絶縁体（図９参照）を介して二次巻線７ｓが配置される。そして、二次巻線途中の所定位置（例えば、２ターン目）に設けられた検出端子２２から検出電圧が取り出される。
【００６３】
図９に示すように、コア支柱２０ａの中心軸を含む平面で切断したトランス２５の断面構造において、一次巻線７ｐの巻回部分は、二次巻線７ｓの巻回部分をその内側において完全に網羅しており、両巻線はともに、磁路のギャップ２３を避けて配置されている。尚、本例でも一次巻線７ｐと二次巻線７ｓとの間には絶縁体２４が介在されることで、両者が電気的に絶縁された構成とされる。
【００６４】
尚、図６乃至図９に示した構成例において、一次巻線７ｐには金属平板を用いて二次巻線７ｓとの間に絶縁体を介在させたが、これに限らず、一次巻線７ｐについては、例えば、下記に示すような構成形態が挙げられる。
【００６５】
・ＦＰＣ（フレキシブルプリント配線板）のように、屈曲性に富む基材を使用して筒状に巻回する形態
・フィルム材（ＰＥＮ等）に導体を蒸着した基材を使用して巻回する形態
・層間の絶縁対策として、層間に絶縁フィルムを挿入した形態。
【００６６】
いずれの形態も、巻き太り等の防止に有効であり、また、充分な層間絶縁を講じることができる。
【００６７】
以上の構成では、二次巻線７ｓの検出端子２２から電圧検出を行う例を示したが、検出用巻線７ｖを追加して電圧検出を行う形態では、一次巻線７ｐと同様に、薄板状又はフィルム状の導体を用いて検出用巻線を形成する。そして、コア支柱の中心軸に沿う方向において、検出用巻線の巻回部分が、二次巻線７ｓの巻回部分を網羅する長さをもって配置される構成にすれば良い。
【００６８】
例えば、図１０に示すように、二次巻線７ｓの外周側に検出用巻線７ｖを配置し、その両端の端子２６、２６から検出電圧を得るようにした構成例が挙げられる。尚、端子２６、２６については、図５と同様に、巻線の巻回方向に関して互いに反対側の対角位置に形成される。
【００６９】
図１０ではコア支柱２０ａの外周に一次巻線７ｐを配置し、その外周に二次巻線７ｓを、さらにその外周に検出用巻線７ｖを配置し、各巻線間に図示しない絶縁体を介在させた構成を示したが、これに限らず、コア支柱２０ａの周囲に二次巻線７ｓを配置し、その外周に一次巻線７ｐを、さらにその外周に検出用巻線７ｖを配置し、各巻線間に絶縁体を介在させた構成でも構わない。この他には、下記のように、二次巻線７ｓの内周側に検出用巻線７ｖを配置して検出電圧を得るように構成形態が挙げられる。
【００７０】
・コア支柱２０ａの外周に検出用巻線７ｖを配置し、その外周に一次巻線７ｐを、さらにその外周に二次巻線７ｓを配置し、各巻線間に絶縁体を介在させた構成
・コア支柱２０ａの外周に検出用巻線７ｖを配置し、その外周に二次巻線７ｓを、さらにその外周に一次巻線７ｐを配置し、各巻線間に絶縁体を介在させた構成。
【００７１】
以上に説明したように、主巻線を構成する一次巻線と二次巻線との結合の疎密状態、つまり、結合係数の分布傾向に偏りや不均一性が極力発生しないようにするには、一次巻線に薄板状又はフィルム状の導体を使用してこれを筒状に関係し、かつその巻回部が、二次巻線の巻回部を完全に網羅するに足る長さをもつことが必要である。そして、磁路のギャップを避けた位置において、一次巻線及び二次巻線を共通のコア支柱の周囲に巻回する。
【００７２】
上記した構造のトランスを、例えば、図１に示すような回路構成に用いた場合において、スイッチング素子５Ｈ、５Ｌの駆動制御により直流−交流変換が行われ、コンデンサ８を含む直列共振回路で発生する一次電圧がトランス７で昇圧され、放電灯１０に電力供給が行われる。トランス７は、放電灯１０への電力伝送機能と、放電灯１０に起動用信号を供給するための始動機能を兼ね備えている。
【００７３】
トランス７の二次巻線７ｓの途中に設けられた検出端子又は検出用巻線７ｖによって、正確な検出電圧が得られ、該検出電圧が制御手段６に送出される。該手段の制御下に直流−交流変換回路３で直流入力から交流への変換及び昇圧が行われて放電灯１０の電力制御が行われるとともに、放電灯１０の始動時には起動回路４によって起動用信号が発生され、トランス７の主巻線７Ｍを介して放電灯１０に印加される。
【図面の簡単な説明】
【００７４】
【図１】本発明に係る放電灯点灯装置の回路構成例を示す図である。
【図２】トランスの等価回路図である。
【図３】巻線比と検出電圧の関係を説明するためのグラフ図である。
【図４】本発明に係るトランスの基本構成の要部を示す概略図である。
【図５】一次巻線の構成例を示す図である。
【図６】図７とともにトランスの構成例を示す図であり、本図は要部の分解斜視図である。
【図７】断面構造を示す図である。
【図８】図９とともにトランスの構成について別例を示す図であり、本図は要部の分解斜視図である。
【図９】断面構造を示す図である。
【図１０】検出用巻線を用いたトランスの構成例を示す図である。
【符号の説明】
【００７５】
１…放電灯点灯装置、３…直流−交流変換回路、４…起動回路、７…トランス、７Ｍ…主巻線、７ｐ…一次巻線、７ｓ…二次巻線、７ｖ…検出用巻線、１０…放電灯、１３…コア支柱、１４…ギャップ、１６、２６…端子、１８…トランス、１９、２０…コア、２０ａ…コア支柱、２２…検出端子、２３…ギャップ
【図１】
2006294728.tif 000003
【図２】
2006294728.tif 000004
【図３】
2006294728.tif 000005
【図４】
2006294728.tif 000006
【図５】
2006294728.tif 000007
【図６】
2006294728.tif 000008
【図７】
2006294728.tif 000009
【図８】
2006294728.tif 000010
【図９】
2006294728.tif 000011
【図１０】
2006294728.tif 000012